(57)【要約】【課題】簡単な構造で、確実な電磁波シールドを行いうる引戸装置を提供する。【解決手段】電磁波シールドルームの開口部に取り付けられる扉枠５００と、この扉枠５００に開閉自在に取り付けられる扉本体６００と、扉本体６００を支持すると共に、開閉のために移動させる移動支持機構７００と、扉本体６００と扉枠５００との間での電磁波シールドを行うシールド機構８００とを有する。移動支持機構７００は、扉本体６００が戸閉め位置にあるときに、下方に変位させる機構を有する。シールド機構８００は、電磁波シールド用ガスケットを、これを押圧する部材と対向させて配置し、かつ、扉上方および扉下方においては、前記電磁波シールド用ガスケットを、扉本体の下方変位に伴って、前記対向する押圧する部材によって押圧させて電磁波シールドを行う。【選択図】図２
2004244963.tif 000002
【特許請求の範囲】
【請求項１】
電磁波シールド機能を有する引戸装置において、
電磁波シールドルームの開口部に取り付けられる扉枠と、
この扉枠に開閉自在に取り付けられる扉本体と、
前記扉本体を支持すると共に、開閉のために移動させる移動支持機構と、
扉本体と扉枠との間での電磁波シールドを行うシールド機構とを有し、
前記移動支持機構は、扉本体が戸閉め位置にあるときに、下方に変位させる機構を有し、
前記シールド機構は、電磁波シールド用ガスケットを、これを押圧する部材と対向させて配置し、かつ、扉上方および扉下方においては、前記電磁波シールド用ガスケットを、前記扉本体の下方変位に伴って、前記押圧する部材によって押圧させて電磁波シールドを行うこと、を特徴とする電磁波シールド機能を有する引戸装置。
【請求項２】
請求項１に記載の引戸装置において、
前記移動支持機構は、扉枠に設けられたレールと、このレール上を走行する上吊車によって扉本体を移動可能に支持するものであり、
前記扉本体を下方に変位させる機構は、前記レールに設けた切欠きであり、前記上吊車が前記切欠きに位置する場合に、その上吊車に支持される扉本体が下方変位すること、を特徴とする電磁波シールド機能を有する引戸装置。
【請求項３】
請求項１に記載の引戸装置において、
前記移動支持機構は、扉枠に設けられた溝と、この溝に沿って移動できる戸車を有する戸車機構とによって扉本体を移動可能支持するものであり、
前記扉本体を下方に変位させる機構は、前記溝に設けた掘り込みであり、前記戸車が前記掘り込みに位置する場合に、その戸車機構に支持される扉本体が下方変位すること、を特徴とする電磁波シールド機能を有する引戸装置。
【請求項４】
請求項１、２および３のいずれか一項に記載の引戸装置において、
前記シールド機構は、扉本体の戸先および戸尻においては、電磁波シールド用ガスケットを、これを押圧する部材と対向させて配置し、かつ、扉本体が戸閉め位置にあるとき、前記対向する押圧する部材によって押圧させて電磁波シールドを行うこと、を特徴とする電磁波シールド機能を有する引戸装置。
【請求項５】
請求項１、２、３および４のいずれか一項に記載の引戸装置において、
前記扉本体は、２枚設けられ、
前記シールド機構は、２枚の扉本体のうち、一方の扉本体の戸先に前記電磁波シールド用ガスケットを配置し、他方の扉本体の戸先に、前記ガスケットを押圧する部材を配置すること、を特徴とする電磁波シールド機能を有する引戸装置。
【発明の詳細な説明】
【０００１】
【発明の属する技術分野】
本発明は、電磁波シールドルーム等の開口部に設けられる、電磁波シールド機能を有する引戸装置に係り、特に、開口部においてスライドすることによって開閉する電磁波シールド機能を有する引戸装置に関する。
【０００２】
【従来の技術】
近年、ＭＲＩ等の外部からの電磁波の影響を排除する必要のある機器を用いる場合、また、外部への電磁波の放射を防いだ状態で使用する必要のある機器を用いる場合等において、電磁波シールドルームが利用される。この種の電磁波シールドルームにおいて、電磁波の漏れを生じやすい箇所がある。それは、出入口、窓等の開閉を必要とする部分である。そのため、従来は、窓は嵌め殺し構造とすると共に、出入口は、開き戸構造が採用されていた。
【０００３】
しかし、窓についても、開閉ができることが望まれる場合がある。また、出入口についても、開き戸は、内開き、外開きのいずれの場合にも、扉の開閉半径内の空間がデッドスペースになるという問題がある。そこで、引戸構造の扉が望まれている。
【０００４】
ところが、引戸は、建具としては一般的なものである。しかし、電磁波シールドの点では、開き戸のように扉の周縁部全体で扉枠に圧接する構造とすることができないため、シールド性能が劣るとされている。そのため、電磁波シールドルームの扉としては採用されていない。
【０００５】
これに対して、引戸構造の電磁波シールドルーム用ドアが提案されている（特開２００１−８２０４９号公報：特許文献１）。このドアは、可動機構で連結された第１部材と第２部材とで二重構造に構成されている。また、このドアは、スライド式で開閉し、ドアを閉める際には、その第２部材を戸口周縁部の接触縁に押し付けることによって閉鎖する。この技術は、開閉部分を引戸として機能させ、密閉部分を開き戸のように機能させることで、全体として引戸でありながら、電磁波のシールド機能を高めようとしたものである。
【０００６】
また、開口部周縁での電磁波の漏れを防ぐためのシールド用ガスケットが提案されている（ＵＳＰ５，２９４，２７０：特許文献２）。提案されているガスケットは、弾性体からなるコアチューブの外周に、熱処理したベリリウム銅合金線の編みこんだものを被せた構造となっている。このガスケット（ワイヤ‐メッシュガスケット）は、コアが弾性体であるため、押圧によって接触する金属部材と密接することができる。従って、部材の当接する部分での電磁波の漏れを防ぐことに好適である。
【０００７】
【特許文献１】
特開２００１−８２０４９号公報
【特許文献２】
ＵＳＰ．５，２９４，２７０
【０００８】
【発明が解決しようとする課題】
しかしながら、このような従来の電磁波シールド引戸装置は、第１部材と第２部材とにより二重構造とすること、また、扉の側面圧を高めるための大きな駆動装置と頑丈なドア枠とすることが必要となり、構造が複雑であり、かつ、重くなるという問題がある。さらに、そのような重い引戸を取り付けるべき電磁波シールドルーム側の強度も、対応して強化しなければならなくなる。その結果、空間の有効利用の関係から、引戸の必要性がより高い、小規模な電磁波シールドルームには適さない。
【０００９】
従来、引戸におけるシールド材として、シールドフィンガーと称される部材が知られている。この物は、部材が薄くて折れやすい特性から、組立て作業中にも破損しやすいこと、また、扉開閉時にもしばしば破損して使用寿命が比較的短いこと、扉の抜き差しに大きな力を必要とすること等の問題がある。また、シールドする部分が摺接であるため、隙間が生じやすく、その部分からの電磁波の漏れが起きやすいという問題もある。
【００１０】
一方、前述したように、特許文献２によって提案されるワイヤ‐メッシュガスケットは、開き戸の場合には好適であるが、引戸のような摺接部分には、前述したシールドフィンガの場合と同様に、シールド性能が低下するという問題がある。
【００１１】
本発明の目的は、簡単な構造で、確実な電磁波シールドを行いうる引戸装置を提供することにある。
【００１２】
【課題を解決するための手段】
本発明の第１の態様によれば、
電磁波シールド機能を有する引戸装置において、
電磁波シールドルームの開口部に取り付けられる扉枠と、
この扉枠に開閉自在に取り付けられる扉本体と、
前記扉本体を支持すると共に、開閉のために移動させる移動支持機構と、
扉本体と扉枠との間での電磁波シールドを行うシールド機構とを有し、
前記移動支持機構は、扉本体が戸閉め位置にあるときに、下方に変位させる機構を有し、
前記シールド機構は、電磁波シールド用ガスケットを、これを押圧する部材と対向させて配置し、かつ、扉上方および扉下方においては、前記電磁波シールド用ガスケットを、前記扉本体の下方変位に伴って、前記押圧する部材によって押圧させて電磁波シールドを行うこと、を特徴とする電磁波シールド機能を有する引戸装置が提供される。
【００１３】
ここで、前記移動支持機構は、扉枠に設けられたレールと、このレール上を走行する上吊車によって扉本体を移動可能に支持するものであり、
前記扉本体を下方に変位させる機構は、前記レールに設けた切欠きであり、前記上吊車が前記切欠きに位置する場合に、その上吊車に支持される扉本体が下方変位する構成とすることができる。
【００１４】
また、前記移動支持機構は、扉枠に設けられた溝と、この溝に沿って移動できる戸車を有する戸車機構とによって扉本体を移動可能支持するものであり、
前記扉本体を下方に変位させる機構は、前記溝に設けた掘り込みであり、前記戸車が前記掘り込みに位置する場合に、その戸車機構に支持される扉本体が下方変位する構成とすることができる。
【００１５】
さらに、前記シールド機構は、扉本体の戸先および戸尻においては、電磁波シールド用ガスケットを、これを押圧する部材と対向させて配置し、かつ、扉本体が戸閉め位置にあるとき、前記対向する押圧する部材によって押圧させて電磁波シールドを行う構成とすることができる。
【００１６】
また、前記扉本体を、２枚設けることができる。その場合、シールド機構は、２枚の扉本体のうち、一方の扉本体の戸先に前記電磁波シールド用ガスケットを配置し、他方の扉本体の戸先に、前記ガスケットを押圧する部材を配置する構成とすることができる。
【００１７】
【発明の実施の形態】
以下、本発明の実施形態について、図面を参照して説明する。以下の実施形態では、電磁波シールドルームにおける開口の一種である出入口に適用される引戸装置を例として説明する。
【００１８】
以下の実施形態では、磁気共鳴診断装置（ＭＲＩ）などの医療機器、電子機器等から発せられる電磁波が外部に漏れないよう、または、外部から電磁波が入り込まないようにするための電磁波シールドルームを対象とするものである。もちろん、これに限定されない。
【００１９】
また、以下の実施形態では、電磁波シールドルームとして、パネル等により組み立てられるものを例示しているが、それに限られない。また、建物自体をシールド構造とした場合の開口部、シールドされた布により形成される天幕により構成されるシールド空間の開口部等に設置される引戸装置にも適用することができる。さらに、出入口に限らず、窓等の、開閉が必要な部分において引戸装置を採用できる箇所に適用可能である。
【００２０】
図１に、シールドパネルを用いた囲まれる電磁波シールドルームに適用される第１の実施形態に係る引戸装置の概要を示す。図１に示す電磁波シールドルームは、梁１のほか、図面には表れない骨格構造体により構成される躯体に、シールド壁面板１０、シールド天井板２０、および、図示されていないシールド床部材が組み付けられて構成される。また、開口部として、出入口５０、窓４０、空調口３０、および、点検口３５が用意される。ここで、出入口５０には、後述するように、電磁波シールド機能を有する引戸装置が設けられる。その他の開口部についても電磁波シールドがなされている。シールド壁板１０およびシールド天井板２０は、その全体が、または、外表面が、いずれも導電性を有する金属材料により形成されている。
【００２１】
図２および図３は、本発明の第１の実施形態に係る電磁波シールド引戸装置の全体構造を示す。図２に、戸を閉めた状態、図３に、戸を開けた状態をそれぞれ示す。なお、図２および図３においては、シールド機構の存在がわかるように、扉枠５００の内周側および扉本体６００の外周側にあるべき部材の一部を削除した状態で表示している。
【００２２】
本実施形態の引戸装置は、扉枠５００と、これに取り付けられた扉本体６００と、扉本体６００を扉枠５００内で移動自在に吊下げる吊下げ移動支持機構７００と、扉本体６００と扉枠５００との間の電磁波シールドを行うシールド機構８００とを有する。本実施形態の引戸装置は、扉枠５００において、電磁波シールドルームの外側に扉本体６００を配置した、１枚扉の例である。すなわち、扉枠５００の横方向の１／２の部分（図２に表れる左半分）が開口５１であり、他の１／２の部分（図２に表れる右半分）は、シールド壁パネル１０により閉鎖されている。
【００２３】
扉枠５００は、戸先側枠材５１０、中間枠材５２０、上部枠材５３０、下部枠材（沓摺り）５４０、および、戸尻側枠材５５０を有する。中間枠材５２０と戸尻枠材５５０とに挟まれる領域には、前述したようにシールド壁面板１０が取り付けられている。各枠材５１０から５５０と、シールド壁面板とは、導電性を有する材料、例えば、鉄、鉄合金等の金属により形成される。なお、材料は、遮断を目的とする周波数の範囲において、電磁波を遮断することができ、かつ、他の部材との接触部位において、電気的に隙間なく接触することができるものであればよい。従って、表面に絶縁性の酸化膜が存在する金属、例えば、アルミニウム、アルミニウム合金等であっても、表面の酸化膜が絶縁性であることに注意して、部材相互の接続時の電磁波遮断ができる場合には使用することができる。
【００２４】
戸先側部材５１０には、図４、図５に示すように、戸先側シールド機構８１０を収容するための段部５１１が設けられている。また、図１２、図１３に示すように、上部枠材５３０にも、同様に、上部シールド機構８３０を収容するための段部５３１が設けられている。中間枠材５２０は、上部枠材５３０および下部枠材５４０に固定具により連結される。図１４および図１５に、中間枠材５２０の底面を固定具５２２（ボルト５２２ａおよびナット５２２ｂ）により下部枠材５４０に連結固定している状態を示す。下部枠材５４０は、沓擦りを構成している。本実施形態では、出入口５１をバリヤフリーとするため、レール、ガイド等を設けていない。
【００２５】
扉枠５００に取り付けられる扉本体６００は、図２、図３に示すように、扉枠５００の戸先部材５１０に対向する戸先６１０と、戸尻部材５５０に対向すると共に、戸閉め時に、中間枠材５２０と隣接する戸尻６２０と、上部枠材５３０に対向し、吊下げ移動支持機構７００により吊下げられる上端６３０と、下部枠材５４０と対向する下端６４０とを有する。戸先６１０、戸尻６２０、上端６３０および下端６４０に囲まれる領域は、導体板６６０により覆われる。導体板６６０の一部に、引き手６５０が取り付けられる。この引き手６５０は、扉本体６００の両面に設けられる。扉本体６００は、前述した扉枠５００と同様に導電性を有する材料、具体的には金属により構成される。
【００２６】
戸先６１０には、その端面に、対人防護用ゴム突起６１５が取付部６１４により取り付けられている。また、下端６４０には、例えば、ゴム製の遮音板６４７が取り付けられている。
【００２７】
次に、扉本体６００を吊下げる吊下げ移動支持機構７００について、図２、図３、図１２および図１３を参照して説明する。この吊下げ移動支持機構７００は、扉枠５００の上部枠材５３０に取り付けられるレール７１０と、扉本体６００の上端６３０に取り付けられる上吊車７５０とを有する。この吊下げ移動支持機構７００は、扉本体６００を移動自在に支持する手段と、扉本体を閉める時に、扉本体６００を下方に変位させる手段として機能する。このような下方変位により、扉本体６００の移動方向と平行な方向に延びる、上部シールド機構８３０および下部シールド機構８４０において、シールドガスケットに対して摺接ではなく、押圧による圧接を実現することができる。その結果、その部分での電磁波の漏れをより低減することができる。
【００２８】
レール７１０は、上部枠材５３０の段部５３１の上方であって、電磁波シールドルームの外側となる面５３２に取り付けられる。このレール７１０には、扉本体６００を開閉させるための戸先から戸尻方向に平滑に移動させる平坦部７１１と、戸先近傍に設けられて切欠き部７１２、および、中間枠材５２０近傍に設けられた切欠き部７１３とが設けられる。戸先側の切欠き部７１２には、戸先方向に向かって傾斜する傾斜部７１４が設けられている。これにより、上吊車７５０の吊下げプーリ７５１が円滑に切欠き部７１２に移動することができる。なお、切欠き部７１３は、湾曲上のくぼみ形状に設けておく。
【００２９】
レール７１０には、取付板７１７が並行して、かつ、一体的に設けられている。この取付板７１７は、ボルト等の固定具７２０を用いて、上部枠材５３０に固着されている。
【００３０】
上吊車７５０は、レール７１０上を走行するための吊下げプーリ７５１と、この吊下げプーリ７５１を回動自在に支持する軸７５２と、軸７５２を固定する支持板７５３と、この支持板７５３の固定部７５４を扉本体６００の上端６３０に固定するための固定具７５５（ボルト７５５ａ、ナット７５５ｂ）とを有する。支持板７５３は、固定部７５４の部分において、扉本体６３０に、固定具７５５により固定される。従って、扉本体６００は、支持板７５３、軸７５２および吊下げプーリ７５１により、レール７１０から吊下げられる形態で支持される。
【００３１】
切欠き部７１２および７１３の深さは、戸閉め時に、後述する上端シールド機構８３０および下端シールド機構８４０において押圧によるシールドが確実に行えるようにするための押圧ストロークが確保できる長さに決定される。また、吊下げプーリ７５１がレール７１０の平坦部７１１上にある場合には、上端シールド機構８３０および下端シールド機構８４０において、押圧によるシールドが開放される状態となるように平坦部７１１の高さが設定される。
【００３２】
以上に述べた構造は、引戸の基本的な構造である。本実施形態では、この引戸装置に、シールド機構８００を設けたものである。シールド機構８００は、本実施形態の場合、扉本体６００の外周と、それを囲む扉枠５００の内週に配置される。具体的には、戸先側に配置される戸先シールド機構８１０と、戸尻側に配置される戸尻シールド機構８２０と、扉上端側に配置される上端シールド機構８３０と、扉下端側に配置される下端シールド機構８４０とを有する。これらの各シールド機構８１０、８２０、８３０および８４０は、いずれも、扉枠側に取り付けられる部材と、扉本体側に取り付けられる部材とにより構成されている。それらの部材は、いずれも押圧されることによって接触部での電磁波漏れを防ぐ構造を採っている。
【００３３】
戸先シールド機構８１０は、図４および図５に示すように、戸先側枠材５１０側に設けられる部材と、扉本体６００の戸先６１０側に設けられる部材とにより構成される。
【００３４】
戸先側枠材５１０側には、戸先枠材５１０に設けられた段部５１１に、取付補強板８１６と共に、ガスケット収容部材８１５が固定具８１７により固定されている。このガスケット収容部材８１５は、チャネル材で構成される。また、ガスケット収容部材８１５は、チャネル開口部が戸先６１０を収容する向きで前記段部５１１に装着される。ガスケット収容部材８１５の対向する内壁のそれぞれに、電磁波シールド用ガスケット８１１ａおよび８１１ｂが対向して配置される。また、ガスケット収容部材８１５の底部には、帯状の電磁波シールド用ガスケット８１４が配置される。この電磁波シールド用ガスケット８１４は、扉本体６００が戸閉め状態となったとき、電磁波シールド用ガスケット８１１ａ，８１１ｂが変形した状態のときに、当該ガスケット８１１ａ，８１１ｂと圧接する事ができる厚さのものが配置される。電磁波シールド用ガスケット８１１ａ，８１１ｂと電磁波シールド用ガスケット８１４とは、もちろん電磁波を遮断することができる材料で構成されている。また、これらは、弾性を有し、押圧により容易に弾性変形する。もちろん、圧力が開放されれば、元の形状に復帰する。
【００３５】
ガスケット８１１ａ、８１１ｂには、それぞれ取付部８１２ａ、８１２ｂが設けられている。これらの取付部８１２ａ，８１２ｂを、それぞれクランプ部材８１３ａ，８１３ｂによりガスケット収容部材８１５の壁面部に取り付けられる。対向する電磁シールド用ガスケット８１１ａと８１１ｂとの間隔は、後述する戸先側６１０の部材である接触板８６１ａ、８６１ｂとがそれぞれ対応するガスケット８１１ａ，８１１ｂと圧接することができる長さに決められる。具体的には、例えば、戸先６１０における扉本体６００の厚さより短い間隔になるように決める。
【００３６】
電磁波シールド用ガスケット８１１ａ，８１１ｂは、具体的には、図２６に示すような構造を有する。すなわち、それ自身は円筒形状に構成され、その一部に、取付部８１２が設けられている。この取付部８１２は、ガスケット８１１の軸方向に沿い、かつ、接線方向に延びる上体で取り付けられている。このガスケットの典型的な大きさを例示すると、高さ、すなわち、ガスケットの直径Ｈは１２．７０ｍｍ、取付部８１２とガスケットの直径を含む最大幅Ｗは２５．４０ｍｍである。長さは、製造時に決まる長さであり、必要な長さに切断して使用する。
【００３７】
この電磁波シールド用ガスケット８１１ａ，８１１ｂは、弾性を有するエラストマコアに、ベリリウム銅合金線を編んだワイヤシールディングを被せて形成される。本実施形態では、インストルメント  スペシャルティーズ（Ｉｎｓｔｒｕｍｅｎｔ  Ｓｐｅｃｉａｌｔｉｅｓ）社製のシールディング製品を用いている。なお、この製品に関する技術については前述した特許文献２に開示されている。
【００３８】
電磁波シールド用ガスケット８１４は、例えば、弾性を有する帯状のエラストマに、ベリリウム銅合金線を編んだワイヤシールディングを被せて形成される。本実施形態では、中空ではないが、中空構造としてもよい。また、エラストマ自体に導電性を持たせてもよい。
【００３９】
一方、戸先６１０側には、前記電磁波シールド用ガスケット８１１ａ、８１１ｂと接触するための接触板８６１ａ，８６１ｂと、接触板を戸先に取り付ける際の補強を行う取付補強板８６４と、接触板８６１ａ、８６１ｂをそれぞれ戸先６１０に取り付けるための固定具８６７とを有する。接触板８６１ａ、８６１ｂは、
先端側を折り曲げて形成される当接部８６３ａ、８６３ｂと、先端側に向かって間隔が狭くなるように内向きに傾斜した接触部８６２ａ，８６２ｂとを有する。当接部８６３ａ、８６３ｂは、戸閉め時に最初に電磁波シールド用ガスケット８１１ａ、８１１ｂにそれぞれ当接して間隔を押し広げるように作用する。また、接触部８６２ａ，８６２ｂは、戸閉め時およびその後において、電磁波シールド用ガスケット８１１ａ、８１１ｂと圧接して、扉本体６００から受ける戸閉め方向に作用する力を戸閉め方向と、それと直交する方向との分力として、それぞれの方向の押圧力を生じさせる。これにより、電磁波シールド用ガスケット８１１ａ、８１１ｂに対して、本来は摺接となる部分についても、圧接とすることができる。従って、電磁波シールドを確実に行える。
【００４０】
電磁波シールド用ガスケット８１１ａ、８１１ｂと接触板８６１ａ、８６１ｂとは、図５に示すように、戸開き後、または、戸閉め完了前は、非接触状態にある。このとき、電磁波シールド用ガスケット８１１ａ、８１１ｂは、円筒形状となって、対向配置された状態となっている。このときの電磁波シールド用ガスケット８１１ａと８１１ｂとの間の最短距離は、戸先６１０の幅より短い。
【００４１】
次に、戸閉め完了直前には、戸先がガスケット収容部材８１５の開口内に進入してくる。その結果、接触板８６１ａ，８６１ｂの当接部８６３ａ，８６３ｂが電磁波シールド用ガスケット８１１ａ、８１１ｂと接触しつつ押圧して、これらの間隔を押し広げるように作用する。そして、接触部８６２ａ，８６２ｂが電磁波シールド用ガスケット８１１ａ、８１１ｂに接触して、扉本体６００の進行方向Ｘと、これと直交するＹのそれぞれの方向に、扉本体６００から受ける力の分力を生成して、電磁波シールド用ガスケット８１１ａ、８１１ｂをＸ方向およびＹ方向の両方向について押圧する。従って電磁波シールド用ガスケット８１１ａ、８１１ｂには、それぞれ対応する接触部８６２ａ、８６２ｂがＸ方向およびＹ方向の両方向について押圧することとなる。従って、この部分で、確実な接触を実現することができる。なお、扉を開いたときには、図５に示すように、電磁波シールド用ガスケット８１１ａ、８１１ｂは、弾性により元の形状に復帰する。
【００４２】
また、電磁波シールド用ガスケット８１１ａ、８１１ｂは、接触板８６１ａ，８６１ｂによる押圧のため変形して、その一部が電磁波シールド用ガスケット８１４に接触して、この部分でも電磁波の漏れを遮断する。
【００４３】
電磁波シールド用ガスケット８１１ａ、８１１ｂは、圧着（圧縮）するほど電磁波シールド性能が高くなる性質がある。従って、前述した接触部８６２ａ，８６２ｂとの接触面は、運用要求に適合した圧着になるように形成されている。この点は、後述する他の部分での電磁波シールド用ガスケットについても同様である。
【００４４】
次に、戸先シールド機構８１０をより簡単な構造により実現した他の例について説明する。図６、図７に示すように、この戸先シールド機構８１０は、戸先側枠材５１０側に、主たる部材のほとんどが配置されている。この例の場合には、戸先６１０への対人防護用ゴム突起６１５の取付を省略している。
【００４５】
戸先側枠材５１０側には、戸先枠材５１０に設けられた段部５１１に、ガスケット収容部材８１９が固定具８１７により固定されている。このガスケット収容部材８１９は、チャネル材で構成される。また、ガスケット収容部材８１９は、チャネル開口部が戸先６１０を収容する向きで前記段部５１１に装着される。ガスケット収容部材８１９の対向する内壁のそれぞれに、電磁波シールド用ガスケット８１１ａおよび８１１ｂが戸先６１０の端面６１１に対向して配置される。電磁波シールド用ガスケット８１１ａ，８１１ｂは、前述した図４、図５に示すものと同じものを用いることができる。これらの電磁波シールド用ガスケット８１１ａ，８１１ｂは、ガスケット収容部材８１９の対向する内壁面に取り付けられた支持板８１８に、取付部８１２ａ，８１２ｂ部分がそれぞれクランプ８１３ａ，８１３ｂにより固定されて、取り付けられる。支持板８１８は、いずれもアングル部材であり、固定具８１７によりガスケット収容部材８１９に固定される。
【００４６】
この戸先シールド機構８１０によれば、電磁波シールド用ガスケット８１１ａ、８１１ｂと戸先端面６１１とは、図７に示すように、戸開き後、または、戸閉め完了前は、非接触状態にある。そのため、電磁波シールド用ガスケット８１１ａ、８１１ｂは円筒形状となって、戸先端面６１１と対向する状態にある。
【００４７】
次に、戸閉め完了直前には、戸先６１０がガスケット収容部材８１５の開口部に接近してくる。その結果、図６に示すように、戸先端面６１１が電磁波シールド用ガスケット８１１ａ、８１１ｂと接触しつつ、これを押圧する。これにより、この部分で、確実な接触を実現することができる。なお、扉を開いたときには、図７に示すように、電磁波シールド用ガスケット８１１ａ、８１１ｂは、弾性により元の形状に復帰する。
【００４８】
この構造は、非常に簡単であるが、戸先端面６１１による押圧によって、電磁波シールド用ガスケット８１１ａ、８１１ｂが押圧されるため、電磁波の漏れを確実に抑えることができる。
【００４９】
このシールド構造では、戸先端面６１１が電磁波シールドガスケット８１１ａ，８１１ｂを圧縮することによって、戸先６１０と戸先枠材５１０との間に電磁波シールドを形成するものである。使用する円筒状の電磁波シールドガスケットの反発力が低い場合、または、扉本体の質量が大きい場合に採用することができる。そのため、戸先６１０にテーパー板や対人防護用のゴム突起を取り付ける必要がなくなる。
【００５０】
ただし、自動開閉引戸にする場合は、戸先スイッチを設置する。また、戸先の前面が、電磁波シールドガスケットを直接圧縮するのでガスケットに掛かる負荷も小さいことから損傷も少なく、その交換が殆んどないなど利点も多い。
【００５１】
次に、電磁波シールド機構８００の戸尻部分のシールド構造について、図８および図９を参照して説明する。図９は、戸を閉めた状態を示し、図９は、戸を開けた状態（または戸閉め完了前の状態）を示す。
【００５２】
戸尻シールド機構８２０は、図８および図９に示すように、中間枠材５２０側に設けられる部材と、扉本体６００の戸尻６２０側に設けられる部材とにより構成される。
【００５３】
中間枠材５２０側には、戸先枠材５１０との対向面に、固定具８２６によりガスケット支持板８２５ａおよび８２５ｂが取り付けられる。ガスケット支持板８２５ａ，８２５ｂは、いずれもアングル部材により構成されている。そして、それらは、戸尻方向に開口し、ガスケット収容部として機能するチャネルを構成している。このチャネル内において、ガスケット支持板８２５ａ，８２５ｂに、電磁波シールド用ガスケット８２１ａ，８２１ｂがそれぞれ取り付けられる。これらのガスケット８２１ａ，８２１ｂは、いずれも、前述した図２６に示す構造のものを用いている。従って重複した説明は省略する。すなわち、取付部８２２ａ、８２２ｂにおいてクランプ部材８２３ａ，８２３ｂによりそれぞれガスケット支持板８２５ａ，８２５ｂに固定される。対向する電磁シールド用ガスケット８２１ａと８２１ｂとの間隔は、後述する戸尻６２０側の部材である接触板８７１がそれぞれ対応するガスケット８２１ａ，８２１ｂと圧接することができる長さに決められる。具体的には、例えば、戸尻６２０における扉本体６００の厚さより短い間隔になるように決める。
【００５４】
一方、戸尻６２０側には、前記電磁波シールド用ガスケット８１１ａ、８１１ｂと接触するための接触板８７１と、接触板８７１を支持する支持板８７２と、支持板８７２を戸尻６２０に取り付ける際の補強を行う取付補強板８７３と、支持板８７２を戸尻６２０に取り付けるための固定具８７４と、接触板８７１と戸尻６２０とにより挟まれる空間に、電磁波シールド用ガスケット８７５が配置される。この電磁波シールド用ガスケット８７５は、前述した電磁波シールド用ガスケット８１４と同様の構成を有するものである。このガスケット８７５は、ガスケット支持板８２５ｂの先端８２５ｃと、戸閉め時に当接する。これらの部材は、いずれも導電性を有する材料、例えば、金属により形成される。
【００５５】
接触板８７１は、先端がＶ字形状となった溝構造を有する。その外面により、電磁波シールド用ガスケット８２１ａ，８２１ｂを押圧して、電磁波の漏れを遮断する。
【００５６】
電磁波シールド用ガスケット８２１ａ、８２１ｂと接触板８７１とは、図９に示すように、戸開き後、または、戸閉め完了前は、非接触状態にある。このとき、電磁波シールド用ガスケット８２１ａ、８２１ｂは、円筒形状となって、対向配置された状態となっている。このときの電磁波シールド用ガスケット８２１ａと８２１ｂとの間の最短距離は、接触板８７１の幅より短い。
【００５７】
次に、戸閉め完了直前には、接触板８７１がガスケット支持板８２５ａ，８２５ｂにより挟まれる空間に進入してくる。その結果、接触板８７１の先端部が電磁波シールド用ガスケット８２１ａ、８２１ｂと接触しつつ押圧して、これらの間隔を押し広げるように作用する。そして、接触部８７１が電磁波シールド用ガスケット８２１ａ、８２１ｂに接触して、これらを弾性変形させる状態まで押圧する。従って、この部分で、確実な接触を実現することができる。なお、扉を開いたときには、図９に示すように、電磁波シールド用ガスケット８２１ａ、８２１ｂは、弾性により元の形状に復帰する。
【００５８】
また、電磁波シールド用ガスケット８７５は、ガスケット支持板８２５ｂの先端８２５ｃによる押圧のため変形して、その一部が電磁波シールド用ガスケット８７５に食い込む形で接触して、この部分でも電磁波の漏れを遮断する。
【００５９】
このように、本実施形態の戸尻シールド機構８２０は、扉本体の戸閉め時の移動方向と同じ向きの変位を利用して、電磁波シールド用ガスケット８２１ａ，８２１ｂの間隔を押し広げる形で押圧して、接触圧を確保している。また、同様に、電磁波シールド用ガスケット８７５についても、扉本体の戸閉め時の移動方向と同じ向きの変位を利用して、電磁波シールド用ガスケット８７５に当接して食い込むため、大きな接触圧を確保している。従って、押圧される戸先と同様に、戸尻においても、確実な電磁波シールドを実現している。なお、扉を開いたときには、図９に示すように、電磁波シールド用ガスケット８７５は、弾性により元の形状に復帰する。
【００６０】
次に、戸尻シールド機構８２０をより簡単な構造により実現した他の例について説明する。図１０、図１１に示すように、この戸尻シールド機構８２０は、中間枠材５２０側と、戸尻６２０側とに、シールドのための部材が配置されている。
【００６１】
中間枠材５２０側には、ガスケット支持板８２５ｂが固定具８２６により固定されている。このガスケット支持板８２５ｂの戸尻枠材５３０との対向面側に、電磁波シールド用ガスケット８２１ｃ，８２１ｄが、その取付部８２２ｃにおいてクランプ部材８２３により取り付けられている。
【００６２】
戸尻６２０側には、支持板８７２に固定具８７８により支持される押圧板８７６が取り付けられている。また、支持板８７２には、前述したものと同じ電磁波シールド用ガスケット８７５が配置されている。
【００６３】
電磁波シールド用ガスケット８２１ｃ，８２１ｄは、図１１、図２７に示すように、２連の状態で平行に配置されて、取付部８２２ｃを介して一体に連結されている。すなわち、これらは、前述した電磁波シールド用ガスケット８１１ａ，８１１ｂと同様に、エラストマコアに、取付部８２２ｃを連結部として一体化したものに、ベリリウム銅合金線を編んだワイヤシールディングを被せて形成される。
【００６４】
この戸尻シールド機構８２０によれば、電磁波シールド用ガスケット８２１ｃ、８２１ｄと押圧板８７６とは、図１１に示すように、戸開き後、または、戸閉め完了前は、非接触状態にある。そのため、電磁波シールド用ガスケット８２１ｃ、８２１ｄは円筒形状となって、押圧板８７６と対向する状態にある。次に、戸閉め完了直前には、押圧板８７６が電磁波シールド用ガスケット８２１ｃ、８２１ｄに接近してくる。その後、図１０に示すように、押圧板８７６が電磁波シールド用ガスケット８２１ｃ、８２１ｄと接触しつつ、これを押圧する。これにより、この部分で、確実な接触を実現することができる。なお、扉を開いたときには、図１１に示すように、電磁波シールド用ガスケット８２１ｃ、８２１ｄは、弾性により元の形状に復帰する。
【００６５】
このシールド機構によれば、構造が簡単で、押圧力により、十分な接触が行えるため、電磁波シールド効果も高い。
【００６６】
次に、電磁波シールド機構の戸上部のシールド構造について、図１２および図１３を参照して説明する。図１２は、戸を閉めた状態を示し、図１３は、戸を開けた状態（または戸閉め完了前の状態）を示す。
【００６７】
図１２、図１３に示すように、この状態シールド機構８３０は、上部枠材５３０側と、戸尻６２０側とに、シールドのための部材が配置されている。
【００６８】
上部枠材５３０側には、ガスケット支持板８３５が固定具８３６により固定されている。このガスケット支持板８３５の下部枠材５４０との対向面側に、電磁波シールド用ガスケット８３１ａ，８３１ｂが、その取付部８３２においてクランプ部材８３３により取り付けられている。
【００６９】
上端６３０側には、取付補強板６３２と共に、固定具８８２により上端近傍の扉本体６００に押圧板８８１が取り付けられている。
【００７０】
電磁波シールド用ガスケット８３１ａ，８３１ｂは、図１１、図２７に示すように、前述した電磁波シールド用ガスケット８２１ｃ，８２１ｄと同じ構造を有する。これについてはすでに述べたのでここでは説明を省略する。
【００７１】
この上端シールド機構８３０によれば、電磁波シールド用ガスケット８３１ａ、８３１ｂと押圧板８８１とは、図１３に示すように、戸開き後、または、戸閉め完了前は、非接触状態にある。そのため、電磁波シールド用ガスケット８３１ａ、８３１ｂは円筒形状となって、押圧板８８１と対向する状態にある。次に、戸閉め完了直前には、押圧板８８１が電磁波シールド用ガスケット８３１ａ、８３１ｂに接近してくる。その後、図１２に示すように、押圧板８８１が電磁波シールド用ガスケット８３１ａ、８３１ｂと接触しつつ、これを押圧する。これにより、この部分で、確実な接触を実現することができる。なお、扉を開いたときには、図１３に示すように、電磁波シールド用ガスケット８３１ａ、８３１ｂは、弾性により元の形状に復帰する。
【００７２】
このシールド機構８３０では、扉本体６００が戸閉め位置に至ったとき、吊下げプーリ７５１がレール７１０に設けられた切欠き７１２、７１３に落ち込む。これにより、扉本体６００が下方に変位する。この下方変位に伴って押圧板８８１を下方変位させる。その結果、押圧板８８１が支持板８３５に支持されている電磁波シールド用ガスケット８３１ａ，８３１ｂを押圧することとなる。しかも、戸閉め状態が継続している限り、押圧板８８１の押圧が継続するため、安定した密着状態を確保することができる。従って、構造が簡単で、押圧力により、十分な接触が行えるため、高い電磁波シールド効果が得られる。
【００７３】
次に、電磁波シールド機構の戸下部のシールド構造について、図１４および図１５を参照して説明する。図１４は、戸を閉めた状態を示し、図１５は、戸を開けた状態（または戸閉め完了前の状態）を示す。図１４、図１５に示すように、この下端シールド機構８４０は、扉本体６００の下端６４０に配置されている。
【００７４】
下端６４０には、支持板８４５ａ，８４５ｂが、取付補強材８４４と共に、固定具８４６により固定されている。また、遮音板６４７が取り付けられている。
【００７５】
支持板８４５ａ，８４５ｂに、電磁波シールド用ガスケット８４１ａ，８４１ｂが、取付部８４２ａ，８４２ｂにおいてクランプ部材８４３ａ、８４３ｂにより取り付けられる。電磁波シールド用ガスケット８４１ａおよび８４１ｂが下部枠材５４０の上面に対向して配置される。電磁波シールド用ガスケット８４１ａ，８４１ｂは、前述した図４、図５に示すものと同じものを用いることができる。
【００７６】
この下端シールド機構８４０によれば、電磁波シールド用ガスケット８４１ａ、８４１ｂと下部枠材５４０上面５４１とは、図１５に示すように、戸開き後、または、戸閉め完了前は、非接触状態にある。そのため、電磁波シールド用ガスケット８４１ａ、８４１ｂは円筒形状となって、下部枠材５４０条面５４１と対向する状態にある。
【００７７】
次に、戸閉め完了直前には、扉本体６００の下端６４０が下部枠材５４０の上面５４１に接近してくる。その結果、図１４に示すように、支持板８４５ａ、８４５ｂに支持される電磁波シールド用ガスケット８４１ａ、８４１ｂが下部枠材５４０の上面５４１と接触しつつ、これを押圧する。これにより、この部分で、確実な接触を実現することができる。なお、扉を開いたときには、図１５に示すように、電磁波シールド用ガスケット８４１ａ、８４１ｂは、弾性により元の形状に復帰する。
【００７８】
このシールド機構８４０では、扉本体６００が戸閉め位置に至ったとき、吊下げプーリ７５１がレール７１０に設けられた切欠き７１２、７１３に落ち込む。これにより、扉本体６００が下方に変位する。このとき下方変位が支持板８４５ａ，８４５ｂに支持されている電磁波シールド用ガスケット８４１ａ，８４１ｂを下部枠材５４０の上面５４１に圧接させることとなる。しかも、戸閉め状態が継続している限り、この圧接が継続するため、安定した密着状態を確保することができる。従って、構造が簡単で、押圧力により、十分な接触が行えるため、高い電磁波シールド効果が得られる。
【００７９】
以上に述べた構造を有する本実施形態に係る引戸装置の電磁シールド機能について、その動作と共に説明する。
【００８０】
まず、本実施形態の引戸装置は、図１に示すように、扉枠５００と扉本体６００とで構成され、扉枠５００が、電磁波シールドルームに電磁波シールドを得るように連結されて、人の出入りや機材等を搬出入する際に使われている。電磁波シールドルームの使用中は扉本体６００が閉鎖され、扉枠５００と扉本体６００の接触部が、運用要求に適した電磁波シールド性能を発揮する電磁波シールド機構８００（図２参照）により電磁波シールドされている。このため接触部には円筒状の柔らかい弾力性のある電磁波シールドガスケット８１１等を用いて電磁波シールド性能を高めている。この電磁波シールドガスケットは、圧着（圧縮）するほど電磁波シールド性能が高くなる性質があるので、扉の各接触面は、運用要求に適合した圧着になるように形成されている。その接触面は、戸先、戸尻、扉上部、扉下部の四面である。
【００８１】
ところで、引戸を開ける操作の初動は、吊下げプーリ７５１を切欠き７１２および７１３から引き上げる操作になるので、手動ではキッカー等を用いて軽くする。この動作で扉に関かわる電磁波シールドが一斉に開放される。一方、引戸を閉めるには、吊下げプーリ７５１の作用によって軽くかつ滑りも良いので扉が溝に落ち込む際には、エアークッションやゴムストッパー等の制動装置を要する。ただし、伝道による自動開閉の場合は、モーターの強制回転による制動が掛かるので不要となる。また、扉の斜め落下は傾斜の差込みの力となり、落下後は吊下げプーリ７５１が切欠き７１２、７１３に落ちているので、その母体である扉の落ち込みにストッパーが掛かり、ガスケットへの接触板の差込み圧や圧縮圧が持続される。
【００８２】
上述した実施形態において、シールド部材として、円筒形状のシールドガスケットを用いている理由は次の通りである。すなわち、この種のシールドガスケットは、扉の隙間のシールド材としては、取付も容易で扉枠への収まりもよく、所望のシールド性能を有するものが多い。ただし、扉をクローズする際、その圧縮による反発力が強くて、引戸の場合にはクローズに大きな力を要することと、クローズが維持できずに採用できないものが多いという問題もある。これについて、前述した実施形態では、扉本体６００をレールの切欠きを利用して下方変位させるため、反発力に抗して戸閉め状態を維持しやすい。
【００８３】
以上説明したように、本実施形態によれば、以下に列挙する効果が得られる。
（１）本実施形態の電磁波シールド引戸装置は、電磁波シールドのための大きな駆動装置を必要とせず、病院や研究所等の小さな電磁波シールドルームにも採用できる。しかも、引戸であるため、ドア開閉用スペースも不用なため部屋を広く使うことができる。
（２）人の出入りに使われる扉は、その周辺を含めて人に接触する機会が多く、露出の鋭利性部材の使用は不適当であるが、円筒状の電磁波シールドガスケット自体に丸みと弾力があるので安全性が高くなる。また、戸先シールド機構において用いられる接触板は、先端が平坦に折ってあること、また、テーパ部分があることから、人への安全性を高め、ガスケット間への差し込みもスムーズになり、引掻かりも無くなるので、ガスケットの使用寿命を損ねない。
【００８４】
一方、大きな力を加えなくとも圧縮できる電磁波シールドガスケットを使用すれば、戸先と戸尻の圧縮板を平板にすることができ、さらに、人への安全性を高めガスケットの使用寿命を伸ばすことが出来る。
（３）円筒状の電磁波シールドガスケットを採用することにより、扉組立時や部材交換時の取り付けが簡単である。また、それだけでなく、整備用部材の輸送や保管も容易なる。このため保守整備に優れる。また、戸先シールドにおいて、接触板がテーパーを有している。このため、電磁波シールド用ガスケット間に差し込まれたときに、ガスケットが、テーパーから逃げる方向に変形圧縮されるので、摺動摩擦力が軽減され使用寿命の延長に寄与する。
（４）下部枠材（沓摺り）を平坦にできるので、段差や斜面による出入りの不都合や溝による沓摺りの汚れから開放される。
（５）引戸であるので、電磁波シールドの特性を生かしつつ、扉枠の上部に比較的小さな電動駆動装置を付けることにより、自動扉にすることができる。
【００８５】
前述した実施形態では、図２に示す電磁波シールドルームの外側に扉本体６００を設ける例について示した。本発明は、これに限られない。扉枠５００、扉本体６００および吊下げ移動支持機構７００を、電磁波シールドルームの内側から取り付ける構成とすることができる。すなわち、例えば、図１および図２を、電磁波シールドルームの内側から見ている状態となるように、構成することができる。
【００８６】
また、扉枠５００の電磁波シールドルームの内側および外側に、吊下げ移動支持機構７００を配置して、それぞれ対称的に扉本体６００を取り付けることによって、２枚扉の構造とすることができる。さらに、左右に開く２枚扉の引戸装置とすることもできる。
【００８７】
図１６から図２５にその一例を示す。以下、２枚扉に適用した本発明の第２の実施形態について説明する。なお、本実施形態では、前述した実施形態と同様の構造部分については同じ符号を付することとし、重複した説明を省略する。従って、以下では、前述した第１の実施形態と相違する点を中心に説明する。
【００８８】
図１６および図１７は、本発明の第２の実施形態に係る２枚扉の電磁波シールド引戸装置の全体構造を示す。図１６に、戸を閉めた状態、図１７に、戸を開けた状態（または戸閉め完了前の状態）をそれぞれ示す。なお、図１６および図１７においては、シールド機構の存在がわかるように、扉枠５００の内周側および扉本体６００の外周側にあるべき部材の一部を削除した状態で表示している。また、本実施形態では、左右の扉本体６００Ｌと６００Ｒとを有するため、左右の区別を必要とする場合には、ＬおよびＲの符号を付することとする。
【００８９】
本実施形態の引戸装置は、扉枠５００と、これに取り付けられた左右の扉本体６００Ｌ，６００Ｒと、扉本体６００Ｌ，６００Ｒを扉枠５００内で移動自在に支持する移動支持機構９００と、扉本体６００Ｌ，６００Ｒと、扉枠５００との間の電磁波シールドを行うシールド機構８００とを有する。本実施形態の引戸装置は、扉枠５００において、電磁波シールドルームの外側に扉本体６００Ｌ，６００Ｒを配置した、２枚扉の例である。すなわち、扉枠５００の横方向の中央の１／２の部分が開口５１であり、他の１／４ずつの部分は、シールド壁パネル１０により閉鎖されている。
【００９０】
扉枠５００は、中間枠材５２０Ｌ，５２０Ｒ、上部枠材５３０、下部枠材（沓摺り）５４０、および、戸尻側枠材５５０Ｌ，５００Ｒを有する。中間枠材５２０Ｌと戸尻枠材５５０Ｌとに挟まれる領域、および、中間枠材５２０Ｒと戸尻枠材５５０Ｒとに挟まれる領域には、それぞれ前述したようにシールド壁面板１０が取り付けられている。中間枠材５２０Ｌ，５２０Ｒ、上部枠材５３０、下部枠材（沓摺り）５４０、および、戸尻側枠材５５０Ｌ，５００Ｒと、シールド壁面板１０とは、それぞれ導電性を有する材料、例えば、鉄、鉄合金等の金属により形成される。なお、材料に関しては、前述した第１の実施形態と同様である。
【００９１】
扉本体６００Ｌ（６００Ｒ）は、図１６、図１７に示すように、他の扉本体６００Ｒ（６００Ｌ）の戸先６１０Ｒ（６１０Ｌ）と対向し、戸閉め時には当接する戸先６１０Ｌ（６１０Ｒ）と、戸尻部材５５０Ｌ（５５０Ｒ）に対向すると共に、戸閉め時に、中間枠材５２０Ｌ（５２０Ｒ）と隣接する戸尻６２０Ｌ（６２０Ｒ）と、上部枠材５３０に対向し、開閉機構９００により開閉奏される上端６３０Ｌ（６３０Ｒ）と、下部枠材５４０と対向すると共に、移動支持される下端６４０Ｌ（６４０Ｒ）とを有する。戸先６１０Ｌ、戸尻６２０Ｌ、上端６３０Ｌおよび下端６４０Ｌに囲まれる領域は、導体板６６０により覆われる。同様に、戸先６１０Ｒ、戸尻６２０Ｒ、上端６３０Ｒおよび下端６４０Ｒに囲まれる領域は、導体板６６０により覆われる。また、導体板６６０の一部に、引き手６５０が取り付けられる。この引き手６５０は、扉本体６００の両面に設けられる。扉本体６００は、前述した扉本体６００と同様に導電性を有する材料、具体的には金属により構成される。
【００９２】
本実施形態における移動支持機構９００は、下部枠材５４０側と、上部枠材５３０側とに分かれる。下部枠材５４０側には、図２４、図２５に示すように、下部枠材５４０に設けられた溝９１１と、それに沿って移動する戸車機構９２０とが設けられる。一方、上部枠材９３０には、図２０から図２３に示すように、開閉機構９３０が設けられている。
【００９３】
溝９１１は、図１５、図１６に示すように、下部枠材表面に扉本体６００Ｌ，６００Ｒの開閉方向に沿って設けられる。この溝９１１には、扉本体６００Ｌ，６００Ｒがそれぞれの戸先６１０Ｌと６１０Ｒ戸を当接させて、戸閉め状態にある場合に、戸車９２１を収容して、扉本体６００Ｌおよび６００Ｒを下方変位させるための掘り込み９１２が設けられている。掘り込み９１２は、戸車９２１が円滑に変位するため、傾斜を有する。
【００９４】
戸車機構９２０は、図２４、図２５に示すように、扉本体６００の下端に固定された取付枠材９２４に、戸車９２１、戸車を転動自在に支持する軸９２２と、この軸を取付枠材９２４に固定する固定具９２３とを有する。戸車９２１は、溝９１１内を走行する。
【００９５】
開閉機構９３０は、歯付きベルト９３４と、この歯付きベルト９３４と噛み合って当該ベルトを周回させる歯付きプーリ９３１Ｌおよび９３１Ｒと、歯付きベルト９３４に固定されたトルク伝導板９４１，９４６とを有する。
【００９６】
歯付きプーリ９３１Ｌおよび９３１Ｒとは、上部枠材５３０に取り付けられる。図２０および図２１には、９３１Ｒを示しているが、９３１Ｌについても同様である。さて、歯付きプーリ９３１Ｒは、軸９３２Ｒに固定されて支持される。この軸９３２Ｒは、上部枠材５３０に軸受け９３３Ｒを介して回動可能に取り付けられる。なお、歯付きプーリ９３１Ｌまたは９３１Ｒのうち一方に、動力源を連結して、電動機を連結して、自動開閉することができるように変更することができる。
【００９７】
トルク伝導板９４１は、歯付きベルト９３４の並行する部分の上部側において固定されている。一方、トルク伝導板９４６は、歯付きベルの並行する部分の下部側において固定される。このように固定することによって、左右の扉本体６００Ｌ，６００Ｒの一方を引くと、トルク伝導板９４１を介してベルト９３４を周回させるように変位させる。これにより、ベルトが周回変位する。それに伴って、
他のトルク伝導板９４６は、それとは反対の方向に引かれることとなる。
【００９８】
歯付きベルト９３４は、環状に閉じるベース部分９３４ａと、このベース部分に取り付けられる歯９３４ｂとが一体に設けられている。
【００９９】
これらのトルク伝導板９４１および９４６のうち伝導板９４１を上部で、伝送板９４６を下部でそれぞれ固定することにより、互いに逆方向に移動するように構成することができる。トルク伝道板９４１と歯付きベルト９３４との固定は、トルク伝道板９４１に設けられた固定部９４２に歯付きベルト９３４の一部を固定することにより行う。また、トルク伝道板９４６と歯付きベルト９３４との固定は、トルク伝道板９４６に設けられた固定部９４７に歯付きベルト９３４の他の一部を固定することにより行う。
【０１００】
また、図２０および図２１に示す例では、扉本体６００の上端にガイド溝９５１を取付け、このガイド溝９５１内に配置されて、扉本体６００の移動と共に回動氏、その際の扉本体６００の揺れに抗して扉の傾きを規制するガイドローラ９５３と、上部枠材に固定具９６５により基端が固定された、ガイドローラを支持するアーム９５２とを有する。この構造により、扉本体の移動の際の揺れを抑えることができる。
【０１０１】
なお、前述したガイドローラ９５３は省くこともできる。図２２および図２３に示す例は、ガイドローラ、ガイドアームおよびガイド溝を省いて、トルク伝道板９４６の幅を小さくしたものである。
【０１０２】
このように構成される引戸装置において、扉本体６００Ｌ，６００Ｒの開閉は、引き手６５０を用いて、扉本体を移動させることにより行う。扉本体６００Ｌ，６００Ｒは、戸車９２１により支持されているため、容易に開閉することができる。この引戸装置は、下部枠材５４０に溝９１１が設けられているが、突出するものはない。従って、いわゆるバリアフリーの構造を持つ。
【０１０３】
また、前記歯付きプーリ９３１Ｌおよび９３１Ｒのいずれか一方に、または、さらに他の歯付きプーリを設けて、それに、モータ等に接続して、電動とすることができる。この場合には、例えば、引き手６５０の部分に、タッチスイッチ等を配置して、手を触れると、扉本体６００Ｌ，６００Ｒが自動的に開閉するように構成することができる。
【０１０４】
以上に述べた構造は、引戸の基本的な構造である。本実施形態では、この引戸装置に、シールド機構８００を設けたものである。シールド機構８００は、本実施形態の場合、扉本体６００Ｌと６００Ｒとの当接部、それらの戸尻、上端、および下端に配置される。具体的には、戸先間に設けられる戸先シールド機構８１０と、それぞれの扉の戸尻に設けられる戸尻シールド機構８２０と、扉上端側に配置される上端シールド機構８３０と、扉下端側に配置される下端シールド機構８４０とを有する。
【０１０５】
戸先シールド機構８１０は、本実施形態の場合、一方の扉本体、例えば、図１８に示すように、扉本題６００Ｌの戸先６１０Ｌに、電磁シールド用ガスケット収容部材を設け、他方の扉本体６００Ｒについては、前述した図４、図５と同様の構造とする。このようにすると、戸占め時に、扉本体６００Ｌと扉本体６００Ｒとをそれらの戸先において当接させるように扉を閉じると、前述した図４に示す場合と同様の作用により、電磁やシールドを実現することができる。なお、この部分は、図６および図７に示す構造とすることもできる。
【０１０６】
次に、戸尻シールド機構８２０は、前述した図８から図１１に示す構造とすることができる。従ってこの実施形態では、説明を省略する。
【０１０７】
上部シールド機構８３０は、図２０から図２３に示すように、押圧板８８１と、電磁波シールド用ガスケット８３１ａ、８３１ｂ、支持板８３５とにより実現することができる。この構造は、図１２、図１３に示すものと同じである。従って、ここでは説明省略する。
【０１０８】
下部シールド機構８４０は、図２４から図２５に示すように、電磁波シールド用ガスケット８４１ａ、８４１ｂ、支持板８４５ａ，８４５ｂとにより実現することができる。この構造は、図１４、図１５に示すものと同じである。従って、ここでは説明省略する。
【０１０９】
なお、本実施形態の場合にも、戸閉め時には、戸車９２１が溝９１１内の掘り込みに落とし込まれるため、扉本体６００Ｌ，６００Ｒが下方に変位する。この変位利用して、前述した上部シールド機構８３０と下部シールド機構８４０とにおいて、電磁波シールド用ガスケットを押圧することができる。それにより、電磁波の漏れを確実に遮断することができる。
【０１１０】
前述した第２の実施形態では、下部枠部材に溝を設け、戸車機構を用いて扉本体の移動支持を行っている。この構造を、前記第１の実施形態に適用することもできる。その場合にも、溝に掘り込みを設けて、扉本体を下方変位させることによって、上下方向の電磁波シールドを確実に行えるようにすることができる。
【０１１１】
一方、第１の実施形態において用いられている、レールと上吊車による移動支持機構を第２の実施形態に適用することも可能である。
【０１１２】
【発明の効果】
本発明によれば、簡単な構造で、確実な電磁波シールドを行いうる引戸装置を実現することができる。
【図面の簡単な説明】
【図１】図１は、本発明の第１の実施形態に係る電磁波シールド引戸装置を用いた電磁波シールドルームの外観を示す全体斜視図である。
【図２】図２は、本発明の第１の実施形態に係る電磁波シールド引戸装置について、戸を閉めた状態で正面図である。
【図３】図３は、本発明の第１の実施形態に係る電磁波シールド引戸装置の全体について、戸を開けた状態で示す正面図である。
【図４】図４は、本発明の第１の実施形態に係る電磁波シールド引戸装置において用いられる電磁波シールド機構の戸先部分の構造について、戸を閉めた状態で示す断面図である。
【図５】図５は、本発明の第１の実施形態に係る電磁波シールド引戸装置において用いられる電磁波シールド機構の、戸先部分の構造について、戸を開けた状態（または戸閉め完了前の状態）で示す断面図である。
【図６】図６は、本発明の第１の実施形態に係る電磁波シールド引戸装置において用いられる電磁波シールド機構の、戸先部分の他の構造について、戸を閉めた状態で示す断面図である。
【図７】図７は、本発明の第１の実施形態に係る電磁波シールド引戸装置において用いられる電磁波シールド機構の、戸先部分の他の構造について、戸を開けた状態（または戸閉め完了前の状態）で示す断面図である。
【図８】図８は、本発明の第１の実施形態に係る電磁波シールド引戸装置において用いられる電磁波シールド機構の戸尻部分の構造について、戸を閉めた状態で示す断面図である。
【図９】図９は、本発明の第１の実施形態に係る電磁波シールド引戸装置において用いられる電磁波シールド機構の、戸尻部分の構造について、戸を開けた状態（または戸閉め完了前の状態）で示す断面図である。
【図１０】図１０は、本発明の第１の実施形態に係る電磁波シールド引戸装置において用いられる電磁波シールド機構の、戸尻部分の他の構造について、戸を閉めた状態で示す断面図である。
【図１１】図１１は、本発明の第１の実施形態に係る電磁波シールド引戸装置において用いられる電磁波シールド機構の、戸尻部分の他の構造について、戸を開けた状態（または戸閉め完了前の状態）で示す断面図である。
【図１２】図１２は、本発明の第１の実施形態に係る電磁波シールド引戸装置において用いられる電磁波シールド機構の戸上部の構造について、戸を閉めた状態で示す断面図である。
【図１３】図１３は、本発明の第１の実施形態に係る電磁波シールド引戸装置において用いられる電磁波シールド機構の戸上部の構造について、戸を開けた状態（または戸閉め完了前の状態）で示す断面図である。
【図１４】図１４は、本発明の第１の実施形態に係る電磁波シールド引戸装置において用いられる電磁波シールド機構の戸下部の構造について、戸を閉めた状態で示す断面図である。
【図１５】図１５は、本発明の第１の実施形態に係る電磁波シールド引戸装置において用いられる電磁波シールド機構の戸下部の構造について、戸を開けた状態（または戸閉め完了前の状態）で示す断面図である。
【図１６】図１６は、本発明の第２の実施形態に係る２枚扉の電磁波シールド引戸装置について、戸を閉めた状態で正面図である。
【図１７】図１７は、本発明の第２の実施形態に係る２枚扉の電磁波シールド引戸装置の全体について、戸を開けた状態で示す正面図である。
【図１８】図１８は、本発明の第２の実施形態に係る２枚扉の電磁波シールド引戸装置において用いられる電磁波シールド機構の戸先部分の構造について、戸を閉めた状態で示す断面図である。
【図１９】図１９は、本発明の第２の実施形態に係る２枚扉の電磁波シールド引戸装置において用いられる電磁波シールド機構の、戸先部分の構造について、戸を開けた状態（または戸閉め完了前の状態）で示す断面図である。
【図２０】図２０は、本発明の第２の実施形態に係る２枚扉の電磁波シールド引戸装置において用いられる電磁波シールド機構の戸上部の構造について、戸を閉めた状態で示す断面図である。
【図２１】図２１は、本発明の第２の実施形態に係る２枚扉の電磁波シールド引戸装置において用いられる電磁波シールド機構の戸上部の構造について、戸を開けた状態（または戸閉め完了前の状態）で示す断面図である。
【図２２】図２２は、図２０に示す本発明の第２の実施形態に係る２枚扉の電磁波シールド引戸装置において、ガイドローラを除いた構造を示す断面図である。
【図２３】図２３は、図２１に示す本発明の第２の実施形態に係る２枚扉の電磁波シールド引戸装置において、ガイドローラを除いた構造を示す断面図である。
【図２４】図２４は、本発明の第２の実施形態に係る２枚扉の電磁波シールド引戸装置において用いられる電磁波シールド機構の戸下部の構造について、戸を閉めた状態で示す断面図である。
【図２５】図２５は、本発明の第２の実施形態に係る２枚扉の電磁波シールド引戸装置において用いられる電磁波シールド機構の戸下部の構造について、戸を開けた状態（または戸閉め完了前の状態）で示す断面図である。
【図２６】図２６は、本発明において用いることができる電磁波シールド用ガスケットの一例を示す斜視図。
【図２７】図２７は、本発明において用いることができる電磁波シールド用ガスケットの他の例を示す斜視図。
【符号の説明】
１０…シールド壁板、２０…シールド天井板、３０…空調口、３５…点検口、４０…窓、５０…出入口、５１…開口部、６０…扉、
５００…扉枠、５１０…戸先側枠材、５２０…中間枠材、５３０…上部枠材、５４０…下部枠材（沓摺り）、５５０…戸尻側枠材、５６０…固定具、
６００…扉、６１０…戸先、６２０…戸尻、６３０…上端、６４０…下端、６４７…遮音板、６５０…引き手、
７００…吊下げ移動支持機構、７１０…レール、７１１…平坦部、７１２…切欠き部、７１３…切欠き部、７１４…傾斜部、７１７…取付部、７２０…固定具、７５０…上吊車、７５１…吊下げプーリ、７５２…軸、７５３…支持板、７５４…固定部、７５５…固定具、７５５ａ…ボルト、７５５ｂ…ワッシャ、
８００…シールド機構、
８１０…戸先シールド機構、８１１ａ，８１１ｂ…電磁波シールド用ガスケット、８１２…取付部、８１３…クランプ部材、８１４…電磁波シールド用ガスケット、８１５…ガスケット収容部材、８１６…取付補強板、８１７…固定具、８６１ａ，８６１ｂ…接触板、８６２ａ，８６２ｂ…接触部、８６３ａ，８６３ｂ…押し開き部、８６４…取付補強板、８６７…固定具、
８２０…戸尻シールド機構、８２１ａ，８２１ｂ、８２１ｃ，８２１ｄ…電磁波シールド用ガスケット、８２２ａ，８２２ｂ、８２２ｃ…取付部、８２３、８２３ａ，８２３ｂ…クランプ部材、８２５ａ，８２５ｂ…ガスケット支持板、８２５ｃ…当接部、８２６…固定具、８７１…接触板、８７２…支持板、８７２…支持板、８７３…取付補強板、８７４…固定具、８７５…電磁波シールド用ガスケット、８７８…固定具、
８３０…上端シールド機構、８３１ａ，８３１ｂ…電磁波シールド用ガスケット、８３２…取付部、８３３…クランプ部材、８３５…ガスケット支持板、８３６…固定具、８８１…ガスケット圧縮板、８８２…固定具、
８４０…下端シールド機構、８４１ａ，８４１ｂ…電磁波シールド用ガスケット、８４２ａ，８４２ｂ…取付部、８４３ａ，８４３ｂ…クランプ部材、８４５ａ，８４５ｂ…ガスケット支持板、８４４…取付補強板、８４６…固定具、
９００…移動支持機構、９１１…溝、９１２…掘り込み、
９２０…戸車機構。９２１…戸車、
９３０…開閉機構、９３１Ｌ，９３１Ｒ…歯付きプーリ、９３４…歯付きベルト。
【図１】
2004244963.tif 000003
【図２】
2004244963.tif 000004
【図３】
2004244963.tif 000005
【図４】
2004244963.tif 000006
【図５】
2004244963.tif 000007
【図６】
2004244963.tif 000008
【図７】
2004244963.tif 000009
【図８】
2004244963.tif 000010
【図９】
2004244963.tif 000011
【図１０】
2004244963.tif 000012
【図１１】
2004244963.tif 000013
【図１２】
2004244963.tif 000014
【図１３】
2004244963.tif 000015
【図１４】
2004244963.tif 000016
【図１５】
2004244963.tif 000017
【図１６】
2004244963.tif 000018
【図１７】
2004244963.tif 000019
【図１８】
2004244963.tif 000020
【図１９】
2004244963.tif 000021
【図２０】
2004244963.tif 000022
【図２１】
2004244963.tif 000023
【図２２】
2004244963.tif 000024
【図２３】
2004244963.tif 000025
【図２４】
2004244963.tif 000026
【図２５】
2004244963.tif 000027
【図２６】
2004244963.tif 000028
【図２７】
2004244963.tif 000029